(57)【要約】【課題】ＩＰ電話機への着信を他のＩＰ端末、または交換機経由で他のＰＳＴＮ電話機に自動的に転送できる自動電話転送サービスシステムを提供すること。【解決手段】  交換機に内蔵されたメディアゲートウェイ１が、交換機の制御部に結合されたメディアゲートウェイ制御部１０１と、ＩＰ網上のＩＰ呼接続制御装置との間で第１の呼制御プロトコルに従った呼接続シーケンスを実行する第１のプロトコル処理部１０４と、ＩＰ呼接続制御装置との間で第２の呼制御プロトコルに従った呼接続シーケンスを実行する第２のプロトコル処理部とを備え、上記メディアゲートウェイ制御部が、公衆回線電話機からの発呼に伴う呼接続指令に応答して、第１のプロトコル処理部により呼接続処理を開始し、第１のプロトコルでの呼接続が完了する前に、上記ＩＰ呼接続制御装置からの適用プロトコル変更指示を受信した時、上記第１のプロトコル処理部による呼接続処理を中断して、上記第２のプロトコル処理部により呼接続処理を実行する。【選択図】  図１
2005191799.tif 000002
【特許請求の範囲】
【請求項１】
複数の公衆回線電話機を収容する交換機に内蔵された音声信号とＩＰパケットとの相互変換を行うメディアゲートウェイであって、
交換機の制御部に結合されたメディアゲートウェイ制御部と、
ＩＰ網に接続されたＩＰ網インタフェースと、
上記ＩＰ網上のＩＰ呼接続制御装置との間で、上記ＩＰ網インタフェースを介して、第１の呼制御プロトコルに従った呼接続シーケンスを実行する第１のプロトコル処理部と、
上記ＩＰ呼接続制御装置との間で、上記ＩＰ網インタフェースを介して、第２の呼制御プロトコルに従った呼接続シーケンスを実行する第２のプロトコル処理部とを備え、
上記メディアゲートウェイ制御部が、上記何れかの公衆回線電話機からの発呼に伴う上記交換機制御部からの呼接続指令に応答して、上記第１のプロトコル処理部により呼接続処理を開始し、第１の呼制御プロトコルでの呼接続が完了する前に、上記ＩＰ網インタフェースを介して上記ＩＰ呼接続制御装置からの適用プロトコル変更指示を受信した時、上記第１のプロトコル処理部による呼接続処理を中断して、上記第２のプロトコル処理部により呼接続処理をやり直すことを特徴とするメディアゲートウェイ。
【請求項２】
前記メディアゲートウェイ制御部が、前記呼接続指令が示す着信先が上記ＩＰ網に接続されたＩＰ端末の場合は、前記第１のプロトコル処理部により呼接続処理を開始し、上記着信先が前記ＩＰ網に接続された他の交換機を経由する公衆回線電話機の場合は、前記第２のプロトコル処理部により呼接続処理を開始することを特徴とする請求項１に記載のメディアゲートウェイ。
【請求項３】
前記第１の呼制御プロトコルが、ＲＦＣ３２６１で規定されたＳＩＰ（Session Initiation Protocol）であり、前記第２の呼制御プロトコルが、ＲＦＣ３２０４で規定されたＳＩＰ−Ｔ（SIP for Telephone）であることを特徴とする請求項１または請求項２に記載のメディアゲートウェイ。
【請求項４】
複数の公衆回線電話機を収容する交換機と、ＩＰ網に接続されたＩＰ呼接続制御サーバとからなる自動電話転送サービスシステムにおいて、
上記交換機が、上記ＩＰ網に接続された音声信号とＩＰパケットとの相互変換を行うメディアゲートウェイを内蔵し、
上記メディアゲートウェイが、交換機制御部と結合されたメディアゲートウェイ制御部と、ＩＰ網に接続されたＩＰ網インタフェースと、上記ＩＰ呼接続制御サーバとの間で、上記ＩＰ網インタフェースを介して、第１の呼制御プロトコルに従った呼接続シーケンスを実行する第１のプロトコル処理部と、上記ＩＰ呼接続制御サーバとの間で、上記ＩＰ網インタフェースを介して、第２の呼制御プロトコルに従った呼接続シーケンスを実行する第２のプロトコル処理部とを備え、
上記ＩＰ呼接続制御サーバが、電話番号と転送先電話番号と転送先ＩＰアドレスとの対応関係を示すデータベースと、上記メディアゲートウェイから呼接続要求を受信した時、該要求で指定された着信先の電話番号に基づいて上記データベースを参照し、着信先電話番号の登録の有無および着信先電話番号と対応して登録された転送先電話番号の種別によって、上記呼接続要求のプロトコルの適否を判定し、呼制御プロトコルが不適の場合に上記メディアゲートウェイに適用プロトコル変更指示を送信するサーバ制御部とを有し、
上記メディアゲートウェイ制御部が、上記何れかの公衆回線電話機からの発呼に伴う上記交換機制御部からの呼接続指令に応答して、上記第１のプロトコル処理部により呼接続処理を開始し、第１の呼制御プロトコルでの呼接続が完了する前に、上記ＩＰ網インタフェースを介して上記ＩＰ呼接続制御サーバからの適用プロトコル変更指示を受信した時、上記第１のプロトコル処理部による呼接続処理を中断し、上記第２のプロトコル処理部により呼接続処理をやり直すことを特徴とする自動電話転送サービスシステム。
【請求項５】
前記メディアゲートウェイ制御部が、前記交換機制御部からの呼接続指令が示す着信先が上記ＩＰ網に接続されたＩＰ端末の場合は、前記第１のプロトコル処理部により呼接続処理を開始し、着信先が前記ＩＰ網に接続された他の交換機に収容された公衆回線電話機の場合は、前記第２のプロトコル処理部により呼接続処理を開始することを特徴とする請求項４に記載の自動電話転送サービスシステム。
【請求項６】
前記サーバ制御部が、前記メディアゲートウェイから呼接続要求を受信した時、該要求で指定された着信先電話番号に基づいて前記データベースを参照し、着信先電話番号と対応して転送先電話番号が登録済みの場合は、転送先電話番号をもつ転送先端末との間で呼接続処理を実行し、着信先電話番号または転送先電話番号が未登録の場合は、着信先電話番号をもつ端末との間で呼接続処理を実行することを特徴とする請求項４または請求項５に記載の自動電話転送サービスシステム。
【請求項７】
前記サーバ制御部が、前記メディアゲートウェイから受信した呼接続要求のプロトコルが第１の呼制御プロトコルで、前記データベースに登録された転送先電話番号が公衆回線電話機の電話番号の場合に、前記適用プロトコル変更指示を送信することを特徴とする請求項４〜請求項６の何れかに記載の自動電話転送サービスシステム。
【請求項８】
前記第１の呼制御プロトコルが、ＲＦＣ３２６１で規定されたＳＩＰ（Session Initiation Protocol）であり、前記第２の呼制御プロトコルが、ＲＦＣ３２０４で規定されたＳＩＰ−Ｔ（SIP for Telephone）であることを特徴とする請求項４〜請求項７の何れかに記載の自動電話転送サービスシステム。
【請求項９】
ＩＰ網に接続されたＩＰ呼接続制御装置であって、
電話番号と転送先電話番号と転送先ＩＰアドレスとの対応関係を示すデータベースと、
上記ＩＰ網から着信先電話番号を指定した呼接続要求を受信した時、該要求で指定された着信先の電話番号に基づいて上記データベースを参照し、着信先電話番号の登録の有無および着信先電話番号と対応して登録された転送先電話番号の種別によって、上記呼接続要求のプロトコルの適否を判定し、呼制御プロトコルが不適の場合に、上記呼接続要求の送信元ノード装置に適用プロトコルの変更指示を送信する制御部を備えたことを特徴とするＩＰ呼接続制御装置。
【請求項１０】
前記呼接続要求の適用プロトコルがＲＦＣ３２６１で規定されたＳＩＰ（Session Initiation Protocol）であって、前記データベースに登録された転送先電話番号が公衆回線電話機の電話番号の場合に、前記制御部が、前記呼接続要求の送信元ノード装置に対して、適用プロトコルをＳＩＰからＲＦＣ３２０４で規定されたＳＩＰ−Ｔ（SIP for Telephone）に変更するための指示を送信することを特徴とする請求項９に記載のＩＰ呼接続制御装置。
【発明の詳細な説明】
【技術分野】
【０００１】
本発明は、自動電話転送サービスシステムに関し、更に詳しくは、ＩＰ電話機と公衆回線電話機の相互接続網において、ＩＰ電話機への着信を予め登録された転送先電話機に転送するためメディアゲートウェイ、ＩＰ呼接続制御装置および自動電話転送サービスに関する。
【背景技術】
【０００２】
従来の公衆回線電話網（ＰＳＴＮ：Public Switching Telephone Network）では、共通線信号方式によって複数の交換機を連携して動作させることにより、高機能の電話サービスを提供している。高機能サービスの１つとして、例えば、電話加入者が、自身の所有する加入電話機の設置場所を離れる場合に、この電話機の着信呼を予め指定しておいた別の電話機に自動的に転送するサービスがある。
【０００３】
自動電話転送サービスは、例えば、特開平７−１６２５２９公報（特許文献１）に記載されているように、着信側の交換機が、着信電話番号と転送先電話番号との対応関係を記憶したデータベースを参照し、転送先電話番号を特定することによって実現されている。また、転送先の電話機が、他の交換機に収容されている場合、例えば、日経コミュニケーション２０００年８月７日号（非特許文献１）の１０３ページ、第３図に示されているように、着信側交換機と転送先交換機と間で共通線信号網を介して制御信号を送受信することにより、発信元電話機と転送先電話機との間の呼接続を確立している。
【０００４】
ＰＳＴＮでは、上述した方法で自動電話転送サービスが提供されているが、近年では、ＰＳＴＮとＩＰ（Internet Protocol）網との融合が進み、これまでＰＳＴＮで提供されていた各種電話サービスのＩＰ電話機への拡張ニーズがある。
ＰＳＴＮとＩＰ網の接続は、例えば、非特許文献１の１０５ページ、第５図に示されているように、ＰＳＴＮのＳＴＭ（Synchronous Transfer Mode）音声信号データとＩＰ音声パケットとの相互変換を行うメディアゲートウェイＭＧ（Media Gateway）と、共通線信号網とＩＰ網とを接続して制御信号の送受信を行うシグナリングゲートウェイＳＧ（Signaling Gateway）と、シグナリングゲートウェイＳＧで受信した共通線信号を、例えば、ＭＧＣＰ等のメディアゲートウェイＭＧ用の制御信号に変換して、ＭＧ制御を行うコールエージェントＣＡ（Call Agent）とを配備することにより実現されている。
【０００５】
この方式によれば、共通線信号をシグナリングゲートウェイＳＧとコールエージェントＣＡに収容することによって、ＩＰ網とＰＳＴＮ内に存在する交換機との間での制御信号の交信が可能となるため、ＩＰ電話機に対しても既存ＰＳＴＮで実施してきたサービスと同等のサービスを提供することが可能となる。
しかしながら、電話網の運用者には、ＰＳＴＮとＩＰ網と間での電話相互接続に際して、設備投資を極力抑止したいと言う要望がある。従って、非特許文献１が示すようにメディアゲートウェイＭＧ、シグナリングゲートウェイＳＧ、コールエージェントＣＡなどの高価な通信設備を複数組必要とするシステム構成は、設備コストが高くなり、且つ、ＩＰ網側での新たな保守、運用形態の確立が必要となるため、通信事業者にとって最善の構成ではない。
【０００６】
この問題に対して、例えば、ＮＴＴ（株）のホームページ上の「NTT Reserch and Development 2003 Review of Activities」で公開された「音声系サービスシステムの開発および提供」（非特許文献２）では、共通線信号網に代えて、ＩＰ電話網側の制御信号をＩＰ網で送受信することによって、シグナリングゲートウェイＳＧを不要にする提案がなされている。
【０００７】
【特許文献１】特開平７−１６２５２９公報
【０００８】
【非特許文献１】日経コミュニケーション２０００年８月７日号、「電話をどうやってつなぐのか  ＩＰ電話サービスとの関係は？」、ｐｐ.１０３−１０５
【非特許文献２】「音声系サービスシステムの開発および提供」、ＮＴＴネットワークサービス研究所、ＮＴＴ情報流通プラットフォーム研究所、２００３年、http://www.ntt.co.jp/RD/OFIS/ active/2003pdf/nw13.pdf
【発明の開示】
【発明が解決しようとする課題】
【０００９】
経済的なＩＰ電話網の１つの形態として、例えば、ＰＳＴＮの既存の交換機にメディアゲートウェイＭＧの機能を装備し、ＩＰ網上にＳＩＰ（Session Initiation Protocol）サーバのような汎用的な呼接続制御装置を配備することによって、ＳＧ、ＣＡ等の装置を不要にし、既存交換機と同様の保守、運用形態を可能とする網構成が考えられる。以下の説明では、ＰＳＴＮ交換機に内蔵されたメディアゲートウェイを特に交換機内蔵型ＭＧと言う。
【００１０】
ＩＰ網に接続されたＳＩＰサーバと、交換機内蔵型ＭＧとからなる網構成によれば、ＰＳＴＮ電話機と、ＩＰ電話や音声ガイダンス装置等のＩＰ端末との接続のみならず、１つの交換機内蔵型ＭＧをＩＰ網を介して他の交換機内蔵型ＭＧと接続するＩＰ網経由の音声中継伝送も可能となる。
【００１１】
但し、ＰＳＴＮ電話機とＩＰ端末との接続には、例えば、ＲＦＣ３２６１で規定されているＳＩＰ（Session Initiation Protocol）のような汎用的なプロトコルが適しているが、中継伝送の場合は、従来のＰＳＴＮ網の交換機間で共通線信号網を介して交信されているＩＳＵＰ（ISDN User Part）のような制御信号の通信が必要となるため、例えば、ＲＦＣ３２０４で規定されるＳＩＰ−Ｔ（SIP for Telephones）の方が適している。すなわち、交換機内蔵型ＭＧを採用して、ＰＳＴＮ電話機―ＩＰ端末間接続と、ＩＰ網経由の交換機間中継伝送との双方をサポートしたい場合は、呼制御プロトコルとして、上述したＳＩＰとＳＩＰ−Ｔのように、複数の呼制御プロトコルを使い分ける必要がある。
【００１２】
例えば、自動電話転送サービスにおいて、ＩＰ電話機宛の着信をＰＳＴＮ電話機に転送しようとした場合、呼接続シーケンスの途中で、ＳＩＰによるＩＰ電話機への接続をＳＩＰ−Ｔによる交換機間の中継伝送に切替える必要がある。しかしながら、従来のＩＰ網では、このように呼接続シーケンスの途中で呼制御プロトコルを変更しようとしても、プロトコルの切替えに追従して呼接続処理を継続できるような仕組みがない。このため、ＩＰ電話機（またはＩＰ端末）への着信を予め転送先として登録された他のＩＰ端末、または他の交換機経由で他のＰＳＴＮ電話機に自動的に転送する自動電話転送サービスの呼接続を実現することができない。
【００１３】
本発明の目的は、ＰＳＴＮとＩＰ網の相互電話接続を可能とする経済的な網構成を提供することにある。
本発明の他の目的は、呼接続の途中で呼制御プロトコルの切換えを可能にしたメディアゲートウェイおよびＩＰ呼接続制御装置を提供することにある。
本発明の更に他の目的は、ＩＰ電話機への着信を他のＩＰ端末、または他の交換機経由で他のＰＳＴＮ電話機に自動的に転送できる自動電話転送サービスシステムを提供することにある。
【課題を解決するための手段】
【００１４】
上記目的を達成するため、本発明は、複数の公衆回線電話機を収容する交換機に内蔵された音声信号とＩＰパケットとの相互変換を行うメディアゲートウェイが、交換機の制御部に結合されたメディアゲートウェイ制御部と、ＩＰ網に接続されたＩＰ網インタフェースと、上記ＩＰ網上のＩＰ呼接続制御装置との間で、上記ＩＰ網インタフェースを介して、第１の呼制御プロトコルに従った呼接続シーケンスを実行する第１のプロトコル処理部と、上記ＩＰ呼接続制御装置との間で、上記ＩＰ網インタフェースを介して、第２の呼制御プロトコルに従った呼接続シーケンスを実行する第２のプロトコル処理部とを備え、
上記メディアゲートウェイ制御部が、上記何れかの公衆回線電話機からの発呼に伴う上記交換機制御部からの呼接続指令に応答して、上記第１のプロトコル処理部により呼接続処理を開始し、第１の呼制御プロトコルでの呼接続が完了する前に、上記ＩＰ網インタフェースを介して上記ＩＰ呼接続制御装置からの適用プロトコル変更指示を受信した時、上記第１のプロトコル処理部による呼接続処理を中断して、上記第２のプロトコル処理部により呼接続処理をやり直すことを特徴とする。
【００１５】
更に詳述すると、上記メディアゲートウェイ制御部は、呼接続指令が示す着信先が上記ＩＰ網に接続されたＩＰ端末の場合は、第１のプロトコル処理部により呼接続処理を開始し、上記着信先がＩＰ網に接続された他の交換機を経由する公衆回線電話機の場合は、第２のプロトコル処理部により呼接続処理を開始することを特徴とする。ここで、上記第１の呼制御プロトコルは、例えば、ＲＦＣ３２６１で規定されたＳＩＰ（Session Initiation Protocol）であり、上記第２の呼制御プロトコルは、ＲＦＣ３２０４で規定されたＳＩＰ−Ｔ（SIP for Telephone）である。
【００１６】
また、本発明は、複数の公衆回線電話機を収容する交換機と、ＩＰ網に接続されたＩＰ呼接続制御サーバとからなる自動電話転送サービスシステムにおいて、
上記交換機が、上記ＩＰ網に接続された音声信号とＩＰパケットとの相互変換を行うメディアゲートウェイを内蔵し、上記メディアゲートウェイが、交換機制御部と結合されたメディアゲートウェイ制御部と、ＩＰ網に接続されたＩＰ網インタフェースと、上記ＩＰ呼接続制御サーバとの間で、上記ＩＰ網インタフェースを介して、第１の呼制御プロトコルに従った呼接続シーケンスを実行する第１のプロトコル処理部と、上記ＩＰ呼接続制御サーバとの間で、上記ＩＰ網インタフェースを介して、第２の呼制御プロトコルに従った呼接続シーケンスを実行する第２のプロトコル処理部とを備え、
上記ＩＰ呼接続制御サーバが、電話番号と転送先電話番号と転送先ＩＰアドレスとの対応関係を示すデータベースと、上記メディアゲートウェイから呼接続要求を受信した時、該要求で指定された着信先の電話番号に基づいて上記データベースを参照し、着信先電話番号の登録の有無および着信先電話番号と対応して登録された転送先電話番号の種別によって、上記呼接続要求のプロトコルの適否を判定し、呼制御プロトコルが不適の場合に上記メディアゲートウェイに適用プロトコル変更指示を送信するサーバ制御部とを有し、
上記メディアゲートウェイ制御部が、上記何れかの公衆回線電話機からの発呼に伴う上記交換機制御部からの呼接続指令に応答して、上記第１のプロトコル処理部により呼接続処理を開始し、第１の呼制御プロトコルでの呼接続が完了する前に、上記ＩＰ網インタフェースを介して上記ＩＰ呼接続制御サーバからの適用プロトコル変更指示を受信した時、上記第１のプロトコル処理部による呼接続処理を中断し、上記第２のプロトコル処理部により呼接続処理をやり直すことを特徴とする。
【００１７】
更に詳述すると、上記ＩＰ呼接続制御サーバのサーバ制御部は、メディアゲートウェイから呼接続要求を受信した時、該要求で指定された着信先電話番号に基づいて上記データベースを参照し、着信先電話番号と対応して転送先電話番号が登録済みの場合は、転送先電話番号をもつ転送先端末との間で呼接続処理を実行し、着信先電話番号または転送先電話番号が未登録の場合は、着信先電話番号をもつ端末との間で呼接続処理を実行する。
【００１８】
また、上記サーバ制御部は、メディアゲートウェイから受信した呼接続要求の適用プロトコルが第１の呼制御プロトコルで、上記データベースに登録された転送先電話番号が公衆回線電話機の電話番号の場合に、前記適用プロトコル変更指示を送信する。例えば、呼接続要求の適用プロトコルがＲＦＣ３２６１で規定されたＳＩＰ（Session Initiation Protocol）であって、データベースに登録された転送先電話番号が公衆回線電話機の電話番号の場合、上記サーバ制御部は、呼接続要求の送信元ノード装置に対して、適用プロトコルをＳＩＰからＲＦＣ３２０４で規定されたＳＩＰ−Ｔ（SIP for Telephone）に変更するための指示を送信する。
【発明の効果】
【００１９】
本発明によれば、交換機に内蔵されたメディアゲートウェイが、何れかの公衆回線電話機からの発呼に伴う呼接続指令に応答して、着信先が上記ＩＰ網に接続されたＩＰ端末の場合は、第１の呼制御プロトコルで呼接続処理を開始し、上記着信先がＩＰ網に接続された他の交換機を経由する公衆回線電話機の場合は、第２の呼制御プロトコルで呼接続処理を開始し、第１の呼制御プロトコルでの呼接続が完了する前に、ＩＰ呼接続制御装置からの適用プロトコル変更指示を受信した時、上記第１の呼制御プロトコルによる呼接続処理を中断して、第２の呼制御プロトコルにより呼接続処理をやり直すようにしているため、着信先ＩＰ端末のユーザが転送先として他の交換機経由のＰＳＴＮ電話機を指定していた場合でも、適用プロトコルの切換えにより、自動電話転送サービスが可能となる。
【発明を実施するための最良の形態】
【００２０】
図３は、本発明による交換機内蔵型ＭＧとＳＩＰサーバと適用して、ＰＳＴＮとＩＰ網との相互接続を可能としたＩＰ電話網の１例を示す。
２（２−１、２−２）は、メディアゲートウェイＭＧ１（１−１、１−２）を内蔵したＰＳＴＮ交換機であり、一般の加入電話機６（６−１、６−２）を収容すると共に、メディアゲートウェイＭＧ１を介してＩＰ網３と接続されている。ＩＰ網３には、ＩＰ電話機４と、ＳＩＰサーバ５とが接続されている。
【００２１】
ＩＰ電話機４の所有者は、ＩＰ網３の所有者と契約することによってＩＰ電話番号が付与され、ＩＰ網への接続が許可される。契約者のＩＰ電話番号は、ＳＩＰサーバ５と各交換機２において、収容電話番号として管理される。ＩＰ電話機４から発呼すると、呼信号はＳＩＰサーバ５によって中継処理される。例えば、ＩＰ電話機４からＰＳＴＮの一般加入電話機６に発呼した場合、ＳＩＰサーバ５は、着呼電話番号に従って、呼信号を着呼側電話機に最寄りの交換機２に内蔵されたメディアゲートウェイＭＧ１に転送する。着呼電話番号とメディアゲートウェイＭＧ１との対応関係は、ＳＩＰサーバ５が備える自動電話転送サービスデータベースＤＢ（Data Base）７に記憶されている。
【００２２】
上記網構成において、例えば、ＰＳＴＮ電話機６−１からＩＰ電話機４への発呼をＰＳＴＮ電話機６−２に転送しようとした場合、既存ＰＳＴＮにおける自動電話転送サービスに倣えば、ＩＰ電話システムにおける呼接続制御装置として動作するＳＩＰサーバ５が、呼転送に関する一連の機能を備える必要がある。また、ＩＰ電話機４の所有者は、予め転送先電話番号の登録手続きを実行することによって、ＳＩＰサーバ５を介して、転送先ＰＳＴＮ電話機６−２の電話番号を自動電話転送サービス用データベース７に登録しておく必要がある。
【００２３】
ＰＳＴＮ電話機６−１がＩＰ電話機４宛に発呼した時、メディアゲートウェイＭＧ１−１からＳＩＰサーバ５に呼接続要求コマンド（ＩＮＶＩＴＥ信号）が送信される。ＳＩＰサーバ５は、上記呼接続要求コマンドを受信すると、データベース７から転送先電話機６−２の電話番号を取得し、転送先電話機６−２を収容している交換機２−２に内蔵された転送先メディアゲートウェイＭＧ１−２を特定し、転送先メディアゲートウェイＭＧ１−２との間でＳＩＰによる呼接続手順を実行する。
【００２４】
ここで、発呼側交換機２−１に内蔵されたメディアゲートウェイＭＧ１−１は、ＰＳＴＮ電話機６−１からの発呼をＩＰ端末宛の呼として認識して、呼制御プロトコルＳＩＰでＳＩＰサーバ５と通信する。同様に、ＳＩＰサーバ５も、転送先メディアゲートウェイＭＧ１−２とＳＩＰで通信する。一方、転送先メディアゲートウェイＭＧ１−２は、ＳＩＰによる呼接続要求が発生したことから、この呼接続要求がＩＰ端末から発生したものと判断して、交換機２−２と連携した呼接続処理を実行する。しかしながら、この例では、ＳＩＰの呼接続要求コマンド（ＩＮＶＩＴＥ信号）は、発信元情報が発呼側ＰＳＴＮ電話機６−１の電話番号を示しており、期待したＩＰ電話番号の番号体系とは異なっている。従って、転送先交換機２−２では、この呼接続要求が自分が処理すべきＩＰ電話機からのものではなく、管轄外にある電話番号をもつ電話機からの呼接続要求と判断して、呼接続要求コマンドを無視することになる。従って、自動転送サービスは不成功に終わる。
【００２５】
上記問題の解決策として、例えば、ＳＩＰサーバ５が、発呼側メディアゲートウェイＭＧ１−１から受信した呼接続要求コマンド中の発信元情報をＰＳＴＮ電話機６−１の電話番号からＩＰ電話機４の電話番号に書き換えた場合を想定する。この場合、転送先交換機２−２は、発側電話番号が期待した通りＩＰ電話機のものであるため、転送先電話機６−２との間に呼接続を確立する。しかしながら、この方式では、もし、転送先電話機６−２が発側電話番号の表示サービスを受けていた場合、電話機６−２にはＩＰ電話機４の電話番号が表示されるため、受信者に対して真の発側電話機６−１の電話番号を通知できないと言う別の問題が発生する。
【００２６】
これらの問題を解決するため、本発明は、発呼側メディアゲートウェイＭＧ１−１とＳＩＰサーバ５が、接続すべき呼の状態に応じて呼制御に適用するプロトコル種類を切替えるようにしたことを特徴とする。
【００２７】
図１は、プロトコル切換え機能を備えた本発明によるＭＧ内蔵型交換機２−１の１実施例を示す。ＭＧ内蔵型交換機２−２もこれと同様の構成となっている。
交換機２−１は、ＩＰ網３に接続されるメディアゲートウェイＭＧ１−１と、交換機内部の各機能を制御する交換機制御部２１と、それぞれＰＳＴＮ電話機に接続された加入者線を収容している複数の加入者インタフェース部２２（２２−１、２２−２、…）と、これらの加入者インタフェース部２２およびメディアゲートウェイＭＧ１−１に接続された回線交換部２３とからなる。
【００２８】
メディアゲートウェイＭＧ１−１は、ＭＧ内部の各機能を制御するＭＧ制御部１０１と、上記ＭＧ制御部１０１と交換機制御部２０１との間で交換機内部コマンドを送受信するためにコマンドインタフェース部１０２と、ＩＰ網との間で呼制御データ用ＩＰパケットおよび音声データ用ＩＰパケットを送受信するＩＰ網インタフェース部１０６と、上記ＩＰ網インタフェース部１０６に接続された呼制御プロトコルＳＩＰを実行するためのＳＩＰ処理部１０４と、上記ＩＰ網インタフェース部１０６に接続されたＩＳＵＰ情報の生成と呼制御プロトコルＳＩＰ−Ｔを実行するためのＳＩＰ−Ｔ処理部１０５と、適用すべき呼制御プロトコルに応じて、ＭＧ制御部１０１に上記ＳＩＰ処理部１０４とＳＩＰ−Ｔ処理部１０５の何れかを選択的に接続する呼制御経路切替え用のセレクタ１０３と、ＩＰ網インタフェース部１０６で受信したＳＩＰサーバ５からのプロトコル変換指示コマンドをＭＧ制御部１０１に通知するプロトコル変更指示受信部１０７と、回線交換部２０３との間で通話音声を送受信する通話音声インタフェース部１０８と、ＩＰ網インタフェース部１０６と通話音声インタフェース部１０８との間に接続されたＳＴＭ音声信号と音声パケットとの相互変換を行うための音声信号相互変換部１０９と、自動電話転送時に発呼者に与えるべき音声ガイダンスの音源となる音声ガイダンス送出部１１０とからなる。セレクタ１０３は、ＭＧ制御部１０１からの指令に応答して、呼制御経路の切替えを行う。
【００２９】
図２は、本発明に適用されるプロトコル切換え機能を備えたＳＩＰサーバ５の１実施例を示す。
本発明のＳＩＰサーバ５は、ＳＩＰサーバの各機能部を制御すると共に、自動電話転送サービス用データベース７を利用して自動電話転送サービスを実現するために必要となるプロトコルを選択するサーバ制御部１５０と、ＩＰ網との間で呼制御データ用のＩＰパケットや音声データ用のＩＰパケットを送受信するＩＰ網インタフェース部１５１と、ＩＰ網インタフェース部１５１で受信した接続要求を受信処理し、サーバ制御部１５０に通知する接続要求受信部１５２と、上記ＩＰ網インタフェース部１５１に接続された呼制御プロトコルＳＩＰを実行するためのＳＩＰ処理部１５４と、上記ＩＰ網インタフェース部１５１に接続された呼制御プロトコルＳＩＰ−Ｔを実行するためのＳＩＰ−Ｔ処理部１５５と、自動電話転送サービスに適用すべき呼制御プロトコルに応じて、上記ＳＩＰ処理部１０４とＳＩＰ−Ｔ処理部１０５の何れかを選択的にサーバ制御部１５０に接続する呼制御経路切替え用のセレクタ１５３と、メディアゲートウェイＭＧ（１−１または１−２）にプロトコル変更指示コマンドを送信するためのプロトコル変更指示送信部１５６とからなる。セレクタ１５３は、サーバ制御部１５０からの指令に応答して、呼制御経路の切替えを行う。
【００３０】
自動電話転送サービス用データベース７には、ＩＰ自動電話転送サービスの実現に必要となるサービス加入者情報や転送先電話番号等の情報が登録されている。図４は、自動電話転送サービス用データベース７のデータ構造の１例を示す。
データベース７には、ＩＰ自動電話転送サービスの加入者情報となる着電話番号をもつ複数のエントリ７５（７５−１、７５−２、…）が登録されている。各エントリ７５は、着電話番号７１と対応して転送先電話番号７２と、転送先電話機収容交換機番号７３と、転送先ＩＰアドレス７４を示している。
【００３１】
転送先電話番号７２は、自動電話転送サービスの加入者が予め登録した転送希望先の電話番号を示す。転送先電話機収容交換機番号７３は、転送先電話番号７２がＰＳＴＮ電話機の電話番号の場合に、該転送先電話機（ＰＳＴＮ電話機）を収容している交換機、または転送先電話機に最も近い位置に存在する交換機を特定するための識別番号（交換機番号）を示している。また、転送先ＩＰアドレス７４は、転送先電話番号７２がＩＰ電話機の電話番号の場合は、該転送先電話機に付与されたＩＰアドレスを示し、転送先電話番号７２がＰＳＴＮ電話機の電話番号の場合は、交換機番号７３が示す交換機に内蔵されたメディアゲートウェイＭＧのＩＰ網インタフェース１０６に付与されるＩＰアドレスを示す。
【００３２】
図４において、例えば、エントリ７５−１と７５−２は、転送先電話番号７２として電話番号の値が登録された状態となっているため、自動電話転送サービスを適用中であることが判る。これに対して、エントリー７５−Ｎは、転送先電話番号７２が未登録であり、自動電話転送サービスの適用対象外の状態となっていることが判る。
【００３３】
また、エントリ７５−１では、転送先電話番号７２として登録された電話番号が、例えば、“050”で始まるＩＰ電話番号ではなく、ＰＳＴＮ電話機の番号となっているため、転送先電話番号の上位数桁の値が転送先電話機収容交換機番号７３として設定され、該交換機番号７３をもつ交換機のＩＰ網インタフェース１０６のＩＰアドレスが転送先ＩＰアドレス７４として設定されている。尚、転送先ＩＰアドレス７４の値は、例えば、交換機番号とＩＰ網インタフェースのＩＰアドレスとの対応関係を示すテーブルあるいはデータベース（図２では省略）から検索される。
【００３４】
エントリー７５−２では、転送先電話番号７２が“050”で始まるＩＰ電話番号となっているため、転送先電話機収容交換機番号７３は空欄となっており、転送先ＩＰアドレス７４として転送先ＩＰ電話機のＩＰアドレスが設定されている。この場合、転送先ＩＰ電話機のＩＰアドレスは、例えば、転送先電話番号とＩＰアドレスとの対応関係を示すテーブルあるいはデータベース（図２では省略）から検索される。
【００３５】
図５は、上述したプロトコル切換え機能を備えたＭＧ内蔵型交換機２とＳＩＰサーバ５を利用した本発明の自動電話転送サービスにおける呼接続シーケンスの１例を示す。
図３のネットワークにおいて、交換機２に収容されたＰＳＴＮ電話機６−１が、ＩＰ電話機４の電話番号宛に発呼（４０１）すると、該発呼を検出した交換機２の交換機制御部２１が、メディアゲートウェイＭＧ１−１のＭＧ制御部１０１に呼接続処理の起動指示コマンドを送出する（４０２）。上記起動指示コマンドは、呼接続に必要となる発電話番号、着電話番号等の情報を含む。
【００３６】
ＭＧ制御部１０１は、起動指示コマンドを受信すると、着電話番号から、着信先がＩＰ端末（ＩＰ電話機）か否かを判定し、着信先がＩＰ端末の場合はＳＩＰ処理部１０４、中継伝送の場合はＳＩＰ−Ｔ処理部１０５を選択するように、セレクタ１０３を制御する。この例では、着電話番号がＩＰ電話機４の電話番号となっているため、ＭＧ制御部１０１は、ＳＩＰ処理部１０４を選択し、呼接続に必要となる発電話番号、着電話番号等の情報を含む起動指示コマンドをＳＩＰ処理部１０４に与える（４０３）。
【００３７】
ＳＩＰ処理部１０４は、上記起動指示コマンドを受信すると、呼制御プロトコルＳＩＰの規定に従って呼接続要求コマンド（ＩＮＶＩＴＥ信号）を生成し、これをＳＩＰサーバ５に送信する（４０４）。上記ＩＮＶＩＴＥ信号は、ＳＩＰサーバ５の接続要求受信部１５１で受信処理され、ＩＮＶＩＴＥ情報がサーバ制御部１５０に入力される（４０５）。
【００３８】
サーバ制御部１５０は、ＩＮＶＩＴＥ情報が示す着電話番号が自動電話転送サービスの加入電話番号か否かを判定するために、自動電話転送サービス用データベース７を検索する（４０６）。ここでは、着ＩＰ電話機４が利用者が自動電話転送サービスに加入しており、且つ、転送先電話番号７２としてＰＳＴＮ電話機６−２の電話番号を登録している場合を想定する。
【００３９】
サーバ制御部１５０は、データベース７の検索の結果（４０７）、転送先がＰＳＴＮ電話機６−２であることが判明すると、呼接続プロトコルとしてＳＩＰ−Ｔを適用する必要があるため、プロトコル変更指示送信部１５６にＳＩＰ−Ｔへの切換えを指示する（４０８）。この結果、プロトコル変更指示送信部１５６から、発呼側交換機のメディアゲートウェイＭＧ１−１宛にプロトコル変更指示コマンドが送信される（４０９）。
尚、転送先がＩＰ電話機の場合は、ＳＩＰサーバ５と転送先ＩＰ電話機との間でＳＩＰによる呼接続処理が実行され、呼接続が完了すると、ＳＩＰ処理部１０４からＭＧ制御部１０１に呼接続完了が通知され、通話状態に移行できる。
【００４０】
上記プロトコル変更指示コマンドは、例えば、図６に示すように、パケットヘッダ（イーサフレームヘッダ７０１、ＩＰヘッダ７０２、ＴＣＰヘッダ７０３）と、データ領域７０４とからなり、上記データ領域７０４は、プロトコル変更指示コマンドを示すコードが設定されるコマンド領域７０４−１と、ＩＮＶＩＴＥ情報領域７０４−２とからなる。上記ＩＮＶＩＴＥ情報領域７０４−２は、メディアゲートウェイＭＧ１−１のＩＮＶＩＴＥ信号から抽出されたＣａｌｌ−ＩＤ等の呼識別情報と、発呼電話番号、着呼電話番号等の情報を含む。尚、パケットヘッダに必要となる宛先ＩＰアドレス等のアドレス情報は、受信したＩＮＶＩＴＥ情報から得られる。
【００４１】
上記プロトコル変更指示コマンドは、メディアゲートウェイＭＧ１−１のＩＰ網インタフェース１０６で受信され、プロトコル変更指示受信部１０７を介して、ＭＧ制御部１０１に入力される（４１０）。
ＭＧ制御部１０１は、受信したプロトコル変更指示コマンドに含まれる呼識別情報からプロトコル変更を必要とする呼を特定し、該特定呼について、ＳＩＰ−Ｔ処理部１０５に呼接続処理の起動指示コマンドを与え（４１１）、同時に、ＳＩＰ処理部１０４に上記特定呼における呼接続処理を停止（中断）を指令する（４１２）。ＳＩＰ−Ｔ処理部１０５は、ＭＧ制御部１０１から受信した起動指示コマンドに従って、呼制御プロトコルＳＩＰ−Ｔに従った呼接続要求コマンド（ＩＮＶＩＴＥ信号）を生成し、これをＳＩＰサーバ５に送信する（４１３）。
【００４２】
ＳＩＰ−Ｔ処理部１０５が送信したＩＮＶＩＴＥ信号は、先にＳＩＰ処理部１０４が送信したＩＮＶＩＴＥ信号と同様、ＳＩＰサーバ５の接続要求受信部１５１で受信処理され、サーバ制御部１５０にＩＮＶＩＴＥ情報が入力される（４１４）。
サーバ制御部１５０は、ＩＮＶＩＴＥ情報が示す着電話番号に基づいて、自動電話転送サービス用データベース７を検索する（４１５）。データベース７の検索の結果（４１６）、転送先がＰＳＴＮ電話機６−２であることが判明する。今回は、ＩＮＶＩＴＥ情報がＳＩＰ−Ｔに従っているため、サーバ制御部１５０は、ＳＩＰ−Ｔ処理部１５５を起動し（４１７）、転送先交換機２−２のメディアゲートウェイＭＧ１−２に対して、ＳＩＰ−Ｔに従ったＩＮＶＩＴＥ信号を送信することができる（４１８）。
【００４３】
ＳＩＰサーバ５側で上述した呼接続要求コマンドの転送処理を実施している間、もし、発呼側交換機２−１の交換機制御部２１で、例えば、統計情報の一部として、呼毎に適用プロトコルの種別情報を管理したい場合、ＭＧ制御部１０１から交換機制御部２１に、内部コマンドを使って、呼識別情報とプロトコル変更の実行を通知するようにしてもよい（４１９）。
【００４４】
また、上述したように、呼接続シーケンスの途中で適用プロトコルが変更された場合、転送先電話機への呼接続が完了する迄に多少時間がかかる可能性があるため、発呼電話機に対して、例えば、「只今、自動電話転送サービスを実行しています」のような音声ガイダンスを送出することが望ましい。この場合、ＭＧ制御部１０１が音声ガイダンス送出部１１０を起動し（４２０）、音声ガイダンス送出部１１０が発生した音声ガイダンスを通話路を通して発呼電話機６−１に送出すればよい（４２１）。
【００４５】
転送先交換機２−２のメディアゲートウェイＭＧ１−２は、ＳＩＰサーバ５からのＩＮＶＩＴＥ信号を受信すると、交換機２−２の交換機制御部２１との間で内部コマンドによって呼接続に必要な情報を交信し（４２２）、上記交換機制御部２１は、この情報に基づいて、転送先電話機６−２との間で呼接続処理を実行する（４２３）。
【００４６】
転送先電話機６−２が着呼に応答すると、転送先メディアゲートウェイＭＧ１−２と発呼側メディアゲートウェイＭＧ１−１との間で、ＳＩＰサーバ５を介して、呼制御プロトコルＳＩＰ−Ｔに従ったその後の呼接続シーケンスが実行される（４２４、４２５）。発呼側メディアゲートウェイＭＧ１−１のＳＩＰ−Ｔ処理部１０５は、転送先メディアゲートウェイＭＧ１−２との間での呼接続処理が完了すると、ＭＧ制御部１０１に呼接続完了が通知する（４２６）。これによって、発呼側電話機６−１と転送先電話機６−２の間に通話路が成立する（４２７）。
【００４７】
図７は、ＩＰ電話着信呼のＰＳＴＮ電話機への自動転送を可能とした本発明のＳＩＰサーバ５における呼接続制御動作を示すフローチャートである。
ＳＩＰサーバ５のサーバ制御部１５０は、ＩＰ網３からＩＮＶＩＴＥ信号パケットを受信する（５０１）と、ＩＮＶＩＴＥ情報領域７０４から着信電話番号やＣａｌｌ−ＩＤ等の制御情報を抽出する（５０２）。サーバ制御部１５０は、抽出された着信電話番号に基づいて、自動電話転送サービス用データベース７を検索し（５０３）、着信電話番号に該当するエントリの有無によって、着電話番号が自動電話転送サービスの加入電話番号か否かを判定する（５０４）。
【００４８】
データベース７に着信電話番号に該当するエントリが無かった場合、すなわち、着電話番号が自動電話転送サービスの対象外の場合は、サーバ制御部１５０は、ＳＩＰ処理部を起動し（５０６）、着電話番号に対する通常の呼接続を実行する（５０７）。データベース７に着信電話番号に該当するエントリが見つかった場合、すなわち、着電話番号が自動電話転送サービスに加入していた場合、サーバ制御部１５０は、検索エントリにおける転送先電話番号７２の登録の有無によって、自動電話転送サービスを適用中か否かを判定する（５０５）。サーバ制御部１５０は、転送先電話番号７２が登録されていなければ、自動電話転送サービスは不要と判断して、ＳＩＰ処理部１５４を起動し（５０６）、着電話番号に対する通常の呼接続を実行する（５０７）。
【００４９】
検索エントリに転送先電話番号７２が登録されていた場合は、自動電話転送サービスを適用する必要があるため、サーバ制御部１５０は、検索エントリの転送先電話機収容交換機番号７３をチェックし、転送先電話機がＩＰ端末かＰＳＴＮ電話機かを判定する（５１０）。もし、転送先電話機収容交換機番号７３として有効データが設定されていなければ、サーバ制御部１５０は、転送先電話機がＩＰ端末（ＩＰ電話機）であると判断して、ＳＩＰ処理部を起動（５１１）し、検索エントリの転送先ＩＰアドレス７４をＩＰパケット宛先アドレスとして、転送先電話機に対する呼接続処理のためのパケット送信を実行する（５１２）。
【００５０】
転送先電話機収容交換機番号７３として有効データが設定されていた場合は、転送先がＰＳＴＮ電話機となるため、サーバ制御部１５０は、受信ＩＮＶＩＴＥ情報から、発呼側メディアゲートウェイＭＧで使用中の呼制御プロトコルの種別を判定する（５１３）。
呼制御プロトコルがＳＩＰ−Ｔの場合、サーバ制御部１５０は、ＳＩＰ−Ｔ処理部１５５を起動して（５１４）、転送先交換機のメディアゲートウェイＭＧとの間で呼接続処理を実行する（５１５）。呼制御プロトコルがＳＩＰの場合は、サーバ制御部１５０は、プロトコル変更指示送信部１５６に指令して（５１６）、発呼側メディアゲートウェイＭＧ宛にプロトコル変更指示コマンドを送出させる（５１７）。
【００５１】
図８は、ＩＰ電話着信呼のＰＳＴＮ電話機への自動転送を可能とした本発明のメディアゲートウェイＭＧ１における呼接続制御動作を示すフローチャートである。
ＭＧ制御部１０１は、交換機制御部２１から呼接続処理の起動コマンドを受信する（６０１）と、起動コマンドが示す着電話番号の上位桁を解析して、着信先がＩＰ端末（ＩＰ電話機）か否かを判定する（６０２）。着信先がＩＰ電話機（またはＩＰ端末）でなかった場合、すなわち、他の交換機に中継すべき呼が発生していた場合、ＭＧ制御部１０１は、ＳＩＰ−Ｔ処理部１０５を起動して（６０３）、中継伝送のための呼接続処理を開始する。着信先がＩＰ電話機の場合、ＭＧ制御部１０１は、ＳＩＰ処理部１０４を起動する（６０４）。
【００５２】
ＭＧ制御部１０１は、ＳＩＰによる呼接続の完了通知を待ち（６０５）、ＳＩＰ処理部１０４から呼接続完了通知を受信した場合は、呼接続処理を終了して、通話状態に移行する。ＳＩＰによる呼接続処理中に、ＳＩＰサーバ５からプロトコル変更指示を受信した場合（６０６）、ＭＧ制御部１０１は、ＳＩＰ−Ｔ処理部１０５を起動し（６０７）、ＳＩＰ−Ｔによる呼接続処理を開始した後、プロトコル変更指示で指定された特定呼について、ＳＩＰ処理部１０４による呼接続処理を停止（中断）する（６０８）。
【００５３】
本実施例では、ＭＧ制御部１０１は、ＳＩＰ処理部１０４による呼接続処理を停止した後、内部コマンドによって、交換機制御部２１に呼制御プロトコル変更の発生を通知し（６０９）、音声ガイダンス送出部１１０に音声ガイダンスの送信を指示し（６１０）、発呼者へ自動電話転送中である旨を知らせるようにしている。ＭＧ制御部１０１は、ＳＩＰ−Ｔ処理部１０５からの応答を待ち、呼接続完了通知を受信した場合は（６１１）、呼接続処理を終了し、通話状態に移行する。ＳＩＰ−Ｔ処理部１０５から呼接続完了通知を受信できなかった場合、または、ステップ６０５、６０６で呼接続完了通知、プロトコル変更指示以外の応答を受信した場合は、呼接続を異常終了する。
【００５４】
上述した図７の呼接続制御用フローチャートでは、プロトコル変更が発生した場合、ＳＩＰサーバは、発呼側メディアゲートウェイＭＧから受信した前回とは適用プロトコルの異なる２回目の呼接続要求に応答して、ステップ５０１〜５０５、５１０〜５１３を再度実行した後、ステップ５１４でＳＩＰ−Ｔ処理部１５５を起動している。
ＳＩＰサーバにおける呼制御動作を高速化するために、上記実施例の変形例として、例えば、サーバ制御部１５０が、ステップ５１６でプロトコル変更が発生した呼の識別情報（Ｃａｌｌ−ＩＤ）を記憶しておき、呼接続要求（ＩＮＶＩＴＥ信号）の受信の都度、ステップ５０２で抽出されたＣａｌｌ−ＩＤがプロトコル変更発生呼として記憶されているか否かをチェックし、プロトコル変更発生呼の場合は、ステップ５０１〜５０５、５１０を省略して、直ちにステップ５１３〜５１５を実行するようにしてもよい。
【００５５】
ＰＳＴＮの自動電話転送サービスでは、発呼電話機から利用者がダイヤルした着信電話機までの回線使用料金を発呼側電話機に課金し、発呼電話機でダイヤルした着呼電話機から転送先電話機までの回線使用料金を着呼側電話機に課金する形式の課金体系がある。この場合、着呼側電話機への課金処理は、着呼電話機を収容している交換機が担っている。
このような課金体系をＩＰ電話機を対象とする自動電話転送サービスに適用した場合、ＳＩＰサーバ５が着呼電話機（ＩＰ電話機）の収容交換機に相当する。また、自動電話転送サービスの適用呼については、呼接続から解放までの通話状態がＳＩＰサーバ５によって監視されている。従って、ＳＩＰサーバ５に課金機能を与えることにより、既存の体系と同等の課金体系で自動電話転送サービスを提供することが可能となる。
【００５６】
尚、実施例では、図６に例示したように、ＳＩＰサーバ５から発呼側のメディアゲートウェイに送信するプロトコル変更指示コマンドを独自のフォーマットとしたが、プロトコル変更指示は、ＳＩＰコマンドの１つとして規定しても良い。
【図面の簡単な説明】
【００５７】
【図１】プロトコル切換え機能を備えた本発明によるＭＧ内蔵型交換機２−１の１実施例を示すブロック図。
【図２】本発明に適用されるプロトコル切換え機能を備えたＳＩＰサーバ５の１実施例を示すブロック図。
【図３】本発明によるＭＧ内蔵型交換機２−１とＳＩＰサーバ５を適用したＩＰ電話網の１例を示す図。
【図４】自動電話転送サービス用データベースの構成を示す図。
【図５】本発明による自動電話転送サービスにおける呼接続のシーケンスの１例を示す図。
【図６】プロトコル変更指示コマンドのフォーマットの１例を示す図。
【図７】ＳＩＰサーバ５における呼接続制御動作を示すフローチャート。
【図８】メディアゲートウェイＭＧにおける呼接続制御動作を示すフローチャート。
【符号の説明】
【００５８】
１：メディアゲートウェイ、２：交換機、３：ＩＰ網、４：ＩＰ電話機、
５：ＳＩＰサーバ、６：ＰＳＴＮ電話機、７：自動電話転送サービス用データベース、
１０１：ＭＧ制御部、１０２：コマンドインタフェース部、１０３：セレクタ部、
１０４：ＳＩＰ処理部、１０５：ＳＩＰ−Ｔ処理部、１０６：ＩＰ網インタフェース部、
１０７：プロトコル変更指示受信部、１０８：音声通話インタフェース部、
１０９：音声相互変換部、１１０：音声ガイダンス送出部、１５０：サーバ制御部、
１５１：ＩＰ網インタフェース部、１５２：接続要求受信部、１５３：セレクタ部、
１５４：ＳＩＰ処理部、１５５：ＳＩＰ−Ｔ処理部、
１５６：プロトコル変更指示送信部、２１：交換機制御部、
２２：加入者インタフェース、２３：回線交換部。
【図１】
2005191799.tif 000003
【図２】
2005191799.tif 000004
【図３】
2005191799.tif 000005
【図４】
2005191799.tif 000006
【図５】
2005191799.tif 000007
【図６】
2005191799.tif 000008
【図７】
2005191799.tif 000009
【図８】
2005191799.tif 000010